(57)【要約】【課題】画像撮影装置において、老眼の使用者でも撮影中の画像を鮮明に観察することができる構成を、コストの上昇を抑えて、かつ、デザイン性を高めて実現すると共に、観察する画像の質の劣化を防止できるようにする。【解決手段】画像撮影装置１は、画像を撮影するためのカメラ本体２と、撮影中の画像を表示するディスプレイ３と、ディスプレイ３に表示される画像の虚像を生成する虚像光学系４とを備える。ディスプレイ３は、画像表示面３ａが露呈される開いた位置と、画像表示面３ａが露呈されない閉じた位置とに、開閉自在にカメラ本体２に支持されている。虚像光学系４は、カメラ本体２に内蔵されており、ディスプレイ３に表示される画像の虚像をカメラ本体２の覗き孔２ｂを通して観察することができるように、ディスプレイ３に表示される画像の虚像を生成する。老眼の使用者は、覗き孔２ｂを通して、撮影中の画像を鮮明に観察することができる。【選択図】図１
2009199000.tif 000002
【特許請求の範囲】
【請求項１】
使用者が手に保持して被写体の画像を撮影するためのカメラ本体と、前記カメラ本体により撮影中の画像を表示するディスプレイとを備え、
前記ディスプレイは、画像表示面が露呈される開いた位置と、画像表示面が露呈されない閉じた位置とに、開閉自在に前記カメラ本体に支持されている画像撮影装置において、
前記ディスプレイに表示される画像の虚像を生成する虚像光学系を備え、
前記カメラ本体は、使用者が該カメラ本体により撮影中の画像を該カメラ本体に接眼して観察するための覗き孔を有し、
前記虚像光学系は、前記カメラ本体に内蔵されており、使用者が前記ディスプレイに表示される画像の虚像を前記覗き孔を通して観察することができるように、前記ディスプレイに表示される画像の虚像を生成する、
ことを特徴とする画像撮影装置。
【請求項２】
前記ディスプレイは、前記画像表示面が露呈される開いた位置として、前記画像表示面が前記カメラ本体による画像の撮影方向と略垂直になるように露呈される第１の開いた位置にすることが可能であり、
前記虚像光学系及び覗き孔は、前記ディスプレイが前記第１の開いた位置にあるときに、前記ディスプレイの画像表示面を垂直方向に延設した直方体状の領域の外側に配置されている、
ことを特徴とする請求項１に記載の画像撮影装置。
【請求項３】
前記虚像光学系は、前記ディスプレイに表示される画像の虚像を前記カメラ本体による画像の撮影方向と平行な方向に観察することができるように、前記ディスプレイに表示される画像の虚像を生成する、
ことを特徴とする請求項２に記載の画像撮影装置。
【請求項４】
前記虚像光学系は、前記ディスプレイが前記第１の開いた位置にあるときに、前記ディスプレイに表示される画像の虚像を前記覗き孔を通して観察することができるように、前記ディスプレイに表示される画像の虚像を生成する、
ことを特徴とする請求項３に記載の画像撮影装置。
【請求項５】
前記ディスプレイは、前記画像表示面が露呈される開いた位置として、前記画像表示面が露呈されない閉じた位置と前記第１の開いた位置との間の第２の開いた位置にすることが可能であり、
前記虚像光学系は、前記ディスプレイが前記第２の開いた位置にあるときに、前記ディスプレイに表示される画像の虚像を前記覗き孔を通して観察することができるように、前記ディスプレイに表示される画像の虚像を生成する、
ことを特徴とする請求項３に記載の画像撮影装置。
【請求項６】
前記ディスプレイに表示される画像の虚像を前記覗き孔を通して観察することができる状態であることを報知する報知手段を備える、
ことを特徴とする請求項５に記載の画像撮影装置。
【発明の詳細な説明】
【技術分野】
【０００１】
本発明は、画像を撮影する画像撮影装置に関するものである。
【背景技術】
【０００２】
従来から、画像撮影装置において、使用者が手に保持して画像を撮影できると共に、使用者が撮影中の画像を観察できるようにしたものがある。このような画像撮影装置としては、例えば、図７、図８に示す構成のものが知られている。
【０００３】
図７に示す画像撮影装置７０は、使用者が手に保持して被写体の画像を撮影するためのカメラ本体７１と、カメラ本体７１により撮影中の画像を表示するディスプレイ７２とを備えている。カメラ本体７１は、画像撮影用の光学系及び光電変換素子（不図示）等を内蔵しており、画像撮影用の光学系により捉えた光学的な画像を光電変換素子により電気信号の画像データに変換することにより、画像を撮影するようになっている。ディスプレイ７２は、光電変換素子から得られる画像データに基いて、カメラ本体７１により撮影中の画像を表示するようになっている。
【０００４】
ディスプレイ７２は、カメラ本体７１に回動自在に支持された蓋体７３に取付けられており、蓋体７３を回動させることにより、画像表示面７２ａが露呈される開いた位置と、画像表示面７２ａが露呈されない閉じた位置とに、開閉されるようになっている。すなわち、ディスプレイ７２は、蓋体７３を介して、画像表示面７２ａが露呈される開いた位置と、画像表示面７２ａが露呈されない閉じた位置とに、開閉自在にカメラ本体７１に支持されている。
【０００５】
このような構成の画像撮影装置７０では、使用者は、画像を撮影しているとき、ディスプレイ７２を開いた位置にして、ディスプレイ７２を見ることによって、撮影中の画像を観察することができる。
【０００６】
また、図８に示す画像撮影装置８０は、図７に示す画像撮影装置７０の構成に加え、使用者がカメラ本体７１により撮影中の画像を接眼して観察するためのＥＶＦ（電子ビューファインダー）８１を備えている。ＥＶＦ８１は、カメラ本体７１に設けられた覗き孔８１ａと、カメラ本体７１に内蔵された接眼観察用の画像表示素子及び光学系（不図示）等により構成されている。
【０００７】
ＥＶＦ８１は、上記画像撮影用の光電変換素子から得られる画像データに基いて、カメラ本体７１により撮影中の画像を接眼観察用の画像表示素子に表示するようになっており、接眼観察用の画像表示素子に表示した画像を接眼観察用の光学系及び覗き孔８１ａを通して使用者が観察できるようにしている。
【０００８】
このような構成の画像撮影装置８０では、使用者は、画像を撮影しているとき、ディスプレイ７２を見ることによって、カメラ本体７１により撮影中の画像を観察することができるのに加え、ＥＶＦ８１の覗き孔８１ａを覗き込むことによっても、カメラ本体７１により撮影中の画像を観察することができる。ＥＶＦ８１の覗き孔８１ａを覗き込むことにより、使用者は、脇が閉まった状態でカメラ本体７１を保持しつつカメラ本体７１に接眼して撮影中の画像を観察でき、手振れを防止することができる。
【０００９】
また、拡大レンズ群をディスプレイの前面に侵入、退避自在に設けた画像撮影装置が知られている（例えば特許文献１参照）。この特許文献１に記載の画像撮影装置は、拡大レンズ群をディスプレイの前面に侵入させた状態では、拡大レンズ群がディスプレイに表示される画像の拡大した虚像を生成するようになっている。すなわち、拡大レンズ群をディスプレイの前面に侵入させた状態では、使用者は、拡大レンズ群を介して、ディスプレイに表示される画像の拡大画像を虚像として観察することができるようになっている。拡大レンズ群は、カメラ本体の外部に設けられて、カメラ本体に回動自在に支持されており、拡大レンズ群を回動させることにより、拡大レンズ群をディスプレイの前面に侵入、退避させることができるようになっている。また、拡大レンズ群は、ディスプレイよりも小さく構成されているものの、カメラ本体と比較して、比較的に大きな構成になっている。
【００１０】
一方、ディスプレイとレンズとの距離を変えることにより、ディスプレイに表示される画像を、レンズの拡大作用を受けた視野角の大きい拡大虚像表示と、レンズの拡大作用をほとんど受けない直接表示の、いずれでも表示できるようにしたディスプレイ装置が知られている（例えば特許文献２参照）。また、カメラ本体に対して回動可能に取付けられたディスプレイの位置に応じて、ディスプレイに表示される画像の上下方向の反転及び左右方向の反転を補正するようにした画像撮影装置が知られている（例えば特許文献３参照）。また、静止画像を撮像する静止画像撮像部と、動画を撮影する動画撮像部を、ディスプレイを有する本体部に対して回動可能に支持するようにした画像撮影装置が知られている（例えば特許文献４参照）。また、地面又は床面に情報が虚像として現れるように、画像表示部に情報を表示して、地面又は床面に情報が表示されているかの印象を使用者に与えるようにした情報端末装置が知られている（例えば特許文献５参照）。また、レンズを前方に繰り出すことにより、液晶表示板に表示された画像をスクリーン上に実像として形成するようにして、プロジェクタとして使用することができるようにした電子ビューファインダが知られている（例えば特許文献６参照）。
【特許文献１】特開２００１−２６８４０３号公報
【特許文献２】特開２００２−１１６４０７号公報
【特許文献３】特開平９−１２１３００号公報
【特許文献４】特開２００５−２４４６３２号公報
【特許文献５】特開２００６−２６７２０２号公報
【特許文献６】特開平５−３４４３９２号公報
【発明の開示】
【発明が解決しようとする課題】
【００１１】
ところで、上述した従来の画像撮影装置７０、８０においては、ディスプレイ７２を見て撮影中の画像を観察する場合、例えば老眼（遠視）の者には、観察距離が近すぎるため、撮影中の画像を鮮明に観察することが困難である。そこで、画像撮影装置８０の接眼観察用の光学系を、老眼の者でも鮮明な画像を観察することができる虚像光学系にする構成が考えられる。しかしながら、このような構成にした場合、接眼観察用の画像表示素子が必要であるため、コストが上昇する。
【００１２】
一方、上述した特許文献１に記載の画像撮影装置においては、拡大レンズ群は、ディスプレイの画像の虚像を生成する虚像光学系である。従って、特許文献１に記載の画像撮影装置においては、拡大レンズ群をディスプレイの前面に侵入させた状態にすることにより、老眼の者でも、拡大レンズ群を介してディスプレイを見ることにより、撮影中の画像を鮮明に観察することが可能である。
【００１３】
しかしながら、特許文献１に記載の画像撮影装置では、拡大レンズ群がカメラ本体の外部に配置されているため、画像撮影装置のデザイン性が悪い。また、拡大レンズ群が比較的に大きな構成になっていることによっても、画像撮影装置のデザイン性が悪い。しかも、拡大レンズ群がカメラ本体の外部に設けられているため、使用者の手などが拡大レンズ群に触れて、拡大レンズ群が汚れたり傷付いたりする虞があり、拡大レンズ群を介して観察するときの画像の質が劣化する虞がある。なお、上述した特許文献２乃至特許文献６に開示の内容を適用したとしても、上記の問題を解決することはできない。
【００１４】
本発明は、上記課題を解決するためになされたものであり、老眼の使用者でも撮影中の画像を鮮明に観察することができる構成を、コストの上昇を抑えて、かつ、デザイン性を高めて実現することができると共に、観察する画像の質の劣化を防止することができる画像撮影装置を提供することを目的とする。
【課題を解決するための手段】
【００１５】
上記目的を達成するために請求項１の発明は、使用者が手に保持して被写体の画像を撮影するためのカメラ本体と、カメラ本体により撮影中の画像を表示するディスプレイとを備え、ディスプレイは、画像表示面が露呈される開いた位置と、画像表示面が露呈されない閉じた位置とに、開閉自在にカメラ本体に支持されている画像撮影装置において、ディスプレイに表示される画像の虚像を生成する虚像光学系を備え、カメラ本体は、使用者が該カメラ本体により撮影中の画像を該カメラ本体に接眼して観察するための覗き孔を有し、虚像光学系は、カメラ本体に内蔵されており、使用者がディスプレイに表示される画像の虚像を覗き孔を通して観察することができるように、ディスプレイに表示される画像の虚像を生成するものである。
【００１６】
請求項２の発明は、請求項１に記載の画像撮影装置において、ディスプレイは、画像表示面が露呈される開いた位置として、画像表示面がカメラ本体による画像の撮影方向と略垂直になるように露呈される第１の開いた位置にすることが可能であり、虚像光学系及び覗き孔は、ディスプレイが第１の開いた位置にあるときに、ディスプレイの画像表示面を垂直方向に延設した直方体状の領域の外側に配置されているものである。
【００１７】
請求項３の発明は、請求項２に記載の画像撮影装置において、虚像光学系は、ディスプレイに表示される画像の虚像をカメラ本体による画像の撮影方向と平行な方向に観察することができるように、ディスプレイに表示される画像の虚像を生成するものである。
【００１８】
請求項４の発明は、請求項３に記載の画像撮影装置において、虚像光学系は、ディスプレイが第１の開いた位置にあるときに、ディスプレイに表示される画像の虚像を覗き孔を通して観察することができるように、ディスプレイに表示される画像の虚像を生成するものである。
【００１９】
請求項５の発明は、請求項３に記載の画像撮影装置において、ディスプレイは、画像表示面が露呈される開いた位置として、画像表示面が露呈されない閉じた位置と第１の開いた位置との間の第２の開いた位置にすることが可能であり、虚像光学系は、ディスプレイが第２の開いた位置にあるときに、ディスプレイに表示される画像の虚像を覗き孔を通して観察することができるように、ディスプレイに表示される画像の虚像を生成するものである。
【００２０】
請求項６の発明は、請求項５に記載の画像撮影装置において、ディスプレイに表示される画像の虚像を覗き孔を通して観察することができる状態であることを報知する報知手段を備えるものである。
【発明の効果】
【００２１】
請求項１の発明によれば、ディスプレイを直接視することにより、ディスプレイに表示される画像（撮影中の画像）を実像として観察することができると共に、カメラ本体に接眼してカメラ本体の覗き孔を覗き込むことにより、ディスプレイに表示される画像を虚像光学系により生成される虚像として覗き孔を通して観察することができる。すなわち、通常視力の使用者は、ディスプレイを直接視して、撮影中の画像を鮮明に観察することができ、老眼の使用者は、カメラ本体の覗き孔を通して、撮影中の画像を鮮明に観察することができ、利便性が向上する。
【００２２】
しかも、虚像光学系によって、ディスプレイに表示される画像の虚像を生成して、その虚像を覗き孔を通して観察することができるようにしているため、カメラ本体に画像表示素子などを別途内蔵する必要がなく、コストの上昇を抑えることができる。さらに、虚像光学系は、覗き孔を通して（すなわちカメラ本体に接眼して）虚像を観察できるようにしているため、小型でよく、これにより、画像撮影装置を小型化することができる。また、虚像光学系は、カメラ本体に内蔵されているため、画像撮影装置のデザイン性を高めることができる。また、虚像光学系がカメラ本体に内蔵されていることにより、使用者の手などが虚像光学系に触れて、虚像光学系が汚れたり傷付いたりすることがなく、覗き孔を通して観察される画像の劣化を防止することができる。つまり、老眼の使用者でも撮影中の画像を鮮明に観察することができる構成を、コストの上昇を抑えて、かつ、デザイン性を高めて実現することができると共に、観察する画像の質の劣化を防止することができる。
【００２３】
請求項２の発明によれば、ディスプレイを第１の開いた位置にして、ディスプレイを直接視して撮影中の画像を観察するとき、使用者の視界が虚像光学系及び覗き孔によって遮られず、撮影中の画像の観察を行い易く、また、画像の撮影も行い易く、使い勝手が向上する。
【００２４】
請求項３の発明によれば、カメラ本体の覗き孔を通して撮影中の画像を観察するとき、使用者の視線の方向（使用者による画像の観察方向）が画像の撮影方向と平行になり、画像の撮影を行い易く、使い勝手が向上する。
【００２５】
請求項４の発明によれば、ディスプレイを第１の開いた位置にした後は、ディスプレイの開閉操作を行うことなく、ディスプレイを直接視しての撮影中の画像の観察と、覗き孔を通しての撮影中の画像の観察の両方を行うことができ、使い勝手が向上する。
【００２６】
請求項５の発明によれば、簡単な構成の虚像光学系によって、ディスプレイに表示される画像の虚像を生成することが可能であり、より一層、コストの上昇を抑えることができる。
【００２７】
請求項６の発明によれば、撮影中の画像を覗き孔を通して観察することができる状態であるか否かを、覗き孔を実際に覗くことなく、報知手段によって知ることができ、使い勝手が向上する。
【発明を実施するための最良の形態】
【００２８】
以下、本発明を具体化した実施形態による画像撮影装置について図面を参照して説明する。
＜第１の実施形態＞
図１（ａ）（ｂ）、図２は、第１の実施形態による画像撮影装置の構成を示す。画像撮影装置１は、被写体を光学的に捉えて、被写体の光学的な画像を電気信号の画像データに変換することにより、被写体の画像を撮影する装置である。この画像撮影装置１は、使用者が手に保持して画像を撮影できるようになっており、また、使用者が撮影中の画像を観察できるようになっている。
【００２９】
画像撮影装置１は、使用者が手に保持して被写体の画像を撮影するためのカメラ本体２と、カメラ本体２により撮影中の画像を表示するディスプレイ３と、ディスプレイ３に表示される画像の虚像を生成する虚像光学系４等を備える。
【００３０】
カメラ本体２は、画像撮影用の光学系２１及び光電変換素子２２等を筺体２３の内部に収納した構成になっており、画像撮影用の光学系２１により捉えた光学的な画像を光電変換素子２２により電気信号の画像データに変換することにより、画像を撮影するようになっている。
【００３１】
また、カメラ本体２は、使用者の片方の手に保持され得る形状になっていると共に、画像を撮影するための撮影口２ａを有している。すなわち、カメラ本体２は、使用者の手に保持された状態で、撮影口２ａを通して、画像撮影用の光学系２１及び光電変換素子２２によって、画像を撮影するようになっている。
【００３２】
また、カメラ本体２は、使用者がカメラ本体２により撮影中の画像をカメラ本体２に接眼して観察するための覗き孔２ｂを有している。カメラ本体２は、撮影中の画像を静止画及び動画として保存する機能を有している。
【００３３】
ディスプレイ３は、不図示の制御部による制御のもと、カメラ本体２に内蔵されている光電変換素子２２から得られる画像データに基いて、カメラ本体２により撮影中の画像を画像表示面３ａに表示する。
【００３４】
ディスプレイ３は、カメラ本体２に回動自在に支持された蓋体５に取付けられている。蓋体５は、回動支持部２ｃ内の不図示の軸部を中心として回動するように、カメラ本体２に支持されている。ディスプレイ３は、蓋体５を回動させることにより、画像表示面３ａが露呈される開いた位置と、画像表示面３ａがカメラ本体２の側面に対向して露呈されない閉じた位置とに、開閉されるようになっている。すなわち、ディスプレイ３は、蓋体５を介して、画像表示面３ａが露呈される開いた位置と、画像表示面３ａが露呈されない閉じた位置とに、開閉自在にカメラ本体２に支持されている。
【００３５】
ディスプレイ３を開いた位置にすることにより、画像表示面３ａが露呈され、ディスプレイ３の画像表示面３ａに表示される画像を観察することが可能になる。従って、使用者は、ディスプレイ３を開いた位置にして、ディスプレイ３を直接視することにより、ディスプレイ３に表示される画像（撮影中の画像）を実像として観察することができる。ディスプレイ３は、画像表示面３ａが露呈される開いた位置として、画像表示面３ａがカメラ本体２による画像の撮影方向（画像撮影用の光学系２１の受光視野の中心方向）と略垂直になるように露呈される位置（第１の開いた位置）（図１（ａ）（ｂ）、図２に示す位置）にすることが可能になっている。
【００３６】
虚像光学系４は、例えば老眼（遠視）の使用者でも撮影中の画像を鮮明に観察することができるように、すなわち、使用者がディスプレイ３に表示される画像を虚像として観察することができるように、ディスプレイ３に表示される画像の虚像を生成するものである。虚像光学系４は、カメラ本体２に内蔵されている。すなわち、虚像光学系４は、カメラ本体２の筺体２３の内部に固定的に配置されている。
【００３７】
カメラ本体２は、虚像光学系４を収納する虚像光学系収納部２ｄを有しており、虚像光学系４は、カメラ本体２の虚像光学系収納部２ｄに収納されている。虚像光学系収納部２ｄは、カメラ本体２の側面に突出しており、虚像光学系収納部２ｄの前面には、虚像光学系４がディスプレイ３からの光を受光するための受光口２ｅが設けられている。覗き孔２ｂは、虚像光学系収納部２ｄの後面（カメラ本体２の後面でもある）に設けられている。
【００３８】
虚像光学系４、覗き孔２ｂ、及び虚像光学系収納部２ｄは、ディスプレイ３が第１の開いた位置（画像表示面３ａがカメラ本体２による画像の撮影方向と略垂直になるように露呈される位置）にあるときに、画像表示面３ａを垂直方向に延設した直方体状の領域（画像表示面３ａに垂直な方向における画像表示面３ａ上の領域）の外側に配置されている。すなわち、虚像光学系４、覗き孔２ｂ、及び虚像光学系収納部２ｄは、第１の開いた位置にあるディスプレイ３の画像表示面３ａを画像表示面３ａと垂直な方向から見たときに、画像表示面３ａを遮らない位置（画像表示面３ａ上に重ならない位置）に配置されている。従って、ディスプレイ３を第１の開いた位置にして、ディスプレイ３を直接視して撮影中の画像を観察するとき、使用者の視界は、虚像光学系４、覗き孔２ｂ、及び虚像光学系収納部２ｄによって遮られない。
【００３９】
虚像光学系４は、ディスプレイ３が第１の開いた位置にあるときに、ディスプレイ３に表示される画像の虚像を覗き孔２ｂを通して観察することができるように、ディスプレイ３に表示される画像の虚像を生成するようになっている。従って、使用者は、ディスプレイ３を第１の開いた位置にして、カメラ本体２に接眼してカメラ本体２の覗き孔２ｂを覗き込むことにより、ディスプレイ３に表示される画像（撮影中の画像）を虚像光学系４により生成される虚像として覗き孔２ｂを通して観察することができる。また、ディスプレイ３を第１の開いた位置にした後は、ディスプレイ３の開閉操作を行うことなく、ディスプレイ３を直接視しての撮影中の画像の観察と、覗き孔２ｂを通しての撮影中の画像の観察の両方を行うことができる。
【００４０】
また、虚像光学系４は、ディスプレイ３に表示される画像の虚像をカメラ本体２による画像の撮影方向と平行な方向に観察することができるように、すなわち、画像の撮影方向と平行な方向の視線で覗き孔２ｂを覗き込んだときに、その視線の先にディスプレイ３に表示される画像の虚像を観察することができるように、ディスプレイ３に表示される画像の虚像を生成するようになっている。従って、カメラ本体２の覗き孔２ｂを通して撮影中の画像を観察するとき、使用者の視線の方向（使用者による画像の観察方向）は、画像の撮影方向と平行になる。
【００４１】
図３は、虚像光学系４によってディスプレイ３に表示される画像の虚像を生成する原理を示す。物体３１を集光機能を有するレンズ３２を通して観察することを考える。物体３１がレンズ３２の焦点距離Ｆよりも近い位置Ｏに存在すれば、物体３１から放たれてレンズ３２を通った光は、レンズ３２の屈折作用を受けて、広がり角が小さくなるものの、集光することがない。従って、レンズ３２は、物体３１の像を結像しない（実像を形成しない）。
【００４２】
このとき、レンズ３２は、物体３１が存在する側の空間において、物体３１が実際に存在する位置Ｏよりも遠くの位置ＯＶに物体３１の虚像３１’を形成し、物体３１から放たれてレンズ３２を通った光の光路内に観察者の瞳（視点）３３があると、観察者は、物体３１が実際に存在する位置Ｏよりも遠くの位置ＯＶに、物体３１の虚像３１’を観察することになる。つまり、観察者は、物体３１を虚像３１’として観察することになり、物体３１は、物体３１が実際に存在する位置Ｏよりも遠くの位置ＯＶに存在しているように、虚像３１’として観察者に観察される。
【００４３】
ここで、物体３１上の任意の点から放たれてレンズ３２を透過した光は、虚像３１’上の対応する点から放たれたように観察される。つまり、物体３１から放たれてレンズ３２を通って観察者の瞳３３に入射する光の広がり角は、レンズ３２がない場合に物体３１から放たれて観察者の瞳３３に入射する光の広がり角よりも小さくなる。従って、観測者が老眼の者であっても、物体３１を虚像３１’として鮮明に観察することができる。
【００４４】
また、物体３１上の点Ａ（レンズ３２の光軸Ｃから離れた点）に着目すると、点Ａから放たれてレンズ３２を透過した光は、虚像３１’上の点Ａ’から放たれたように観察される。つまり、レンズ３２がない場合に物体３１上の点Ａが観察される方向（物体３１上の点Ａが実際に存在している方向）を物体観察方向Ｐとし、レンズ３２により形成される虚像３１’上の点Ａ’が観察される方向を虚像観察方向Ｐ’とすると、虚像観察方向Ｐ’は、物体観察方向Ｐよりも、レンズ３２の外周側にずれた方向になる。従って、物体３１上の点Ａ（レンズ３２の光軸Ｃから離れた点）は、物体３１上の点Ａが実際に存在する方向（物体観察方向Ｐ）よりもレンズ３２の外周側にずれた方向（虚像観察方向Ｐ’）に存在しているように、虚像３１’上の点Ａ’として観察者に観察されることになる。
【００４５】
上記虚像光学系４は、このような関係を利用して構成することができる。すなわち、上記画像撮影装置１において、虚像光学系４を図３のレンズ３２とし、ディスプレイ３の位置を図３の物体３１上の点Ａとし、使用者が覗き孔２ｂを覗き込むときの視点とディスプレイ３とを結ぶ方向を図３の物体観察方向Ｐとし、使用者が覗き孔２ｂを覗き込んでディスプレイ３の虚像を観察する方向（画像の撮影方向）を図３の虚像観察方向Ｐ’として、虚像光学系４を構成すればよい。
【００４６】
また、虚像光学系４は、例えば、少なくとも１つの集光機能を有するレンズを備えていればよく、それ以外に、歪の補正や、収差の補正、倍率の調整、光路の屈曲のためのレンズやプリズム等を備えていてもよい。また、軸対称なレンズではなく、軸非対称なレンズや自由曲面を有する光学系を備えていてもよい。これらの技術は、例えば特開２００４−３４１０２７号公報、特開２００１−２４２４１２号公報、特開２００１−３３６９０号公報に公知である。また、虚像光学系４は、例えば、プリズムによってディスプレイ３からの光の光路を屈曲した後、集光機能を有するレンズによって、虚像を生成するようにしてもよい。
【００４７】
本実施形態の画像撮影装置１によれば、ディスプレイ３を開いた位置にして、ディスプレイ３を直接視することにより、ディスプレイ３に表示される画像（撮影中の画像）を実像として観察することができる。また、ディスプレイ３を第１の開いた位置（画像表示面３ａがカメラ本体２による画像の撮影方向と略垂直になるように露呈される位置）にして、カメラ本体２に接眼してカメラ本体２の覗き孔２ｂを覗き込むことにより、ディスプレイ３に表示される画像を虚像光学系４により生成される虚像として覗き孔２ｂを通して観察することができる。すなわち、通常視力の使用者は、ディスプレイ３を直接視して、撮影中の画像を鮮明に観察することができ、老眼の使用者は、カメラ本体２の覗き孔２ｂを通して、撮影中の画像を鮮明に観察することができ、利便性が向上する。
【００４８】
しかも、虚像光学系４によって、ディスプレイ３に表示される画像の虚像を生成して、その虚像を覗き孔２ｂを通して観察することができるようにしているため、カメラ本体２に画像表示素子などを別途内蔵する必要がなく、コストの上昇を抑えることができる。さらに、虚像光学系４は、覗き孔２ｂを通して（すなわちカメラ本体２に接眼して）虚像を観察できるようにしているため、小型でよく、これにより、画像撮影装置１を小型化することができる。また、虚像光学系４は、カメラ本体２に内蔵されているため、画像撮影装置１のデザイン性を高めることができる。また、虚像光学系４がカメラ本体２に内蔵されていることにより、使用者の手などが虚像光学系４に触れて、虚像光学系４が汚れたり傷付いたりすることがなく、覗き孔２ｂを通して観察される画像の劣化を防止することができる。
【００４９】
つまり、本実施形態の画像撮影装置１によれば、老眼の使用者でも撮影中の画像を鮮明に観察することができる構成を、コストの上昇を抑えて、かつ、デザイン性を高めて実現することができると共に、観察する画像の質の劣化を防止することができる。
【００５０】
また、通常視力の使用者であっても、カメラ本体２の覗き孔２ｂを覗き込んで撮影中の画像を観察することができる。カメラ本体２の覗き孔２ｂを覗き込むことにより、脇が閉まった状態でカメラ本体２を保持しつつカメラ本体２に接眼して撮影中の画像を観察でき、手振れを防止することができる。
【００５１】
さらに、本実施形態の画像撮影装置１によれば、ディスプレイ３を第１の開いた位置にして、ディスプレイ３を直接視して撮影中の画像を観察するとき、使用者の視界が虚像光学系４、覗き孔２ｂ、及び虚像光学系収納部２ｄによって遮られないため、撮影中の画像の観察を行い易く、また、画像の撮影も行い易く、使い勝手が向上する。また、ディスプレイ３を第１の開いた位置にした後は、ディスプレイ３の開閉操作を行うことなく、ディスプレイ３を直接視しての撮影中の画像の観察と、覗き孔２ｂを通しての撮影中の画像の観察の両方を行うことができるため、使い勝手が向上する。また、カメラ本体２の覗き孔２ｂを通して撮影中の画像を観察するとき、使用者の視線の方向（使用者による画像の観察方向）が画像の撮影方向と平行になるため、画像の撮影を行い易く、使い勝手が向上する。
【００５２】
＜第２の実施形態＞
図４（ａ）（ｂ）、図５は、第２の実施形態による画像撮影装置の構成を示す。本実施形態の画像撮影装置１では、ディスプレイ３は、画像表示面３ａが露呈される開いた位置として、蓋体５を回動させることにより、第１の開いた位置（画像表示面３ａがカメラ本体２による画像の撮影方向と略垂直になるように露呈される位置）に加え、画像表示面３ａが露呈されない閉じた位置と第１の開いた位置との間の第２の開いた位置（図４（ｂ）、図５に示す位置）にすることが可能になっている。
【００５３】
そして、本実施形態の画像撮影装置１では、虚像光学系４は、ディスプレイ３が第２の開いた位置にあるときに、ディスプレイ３に表示される画像の虚像を覗き孔２ｂを通して観察することができるように、ディスプレイ３に表示される画像の虚像を生成するようになっている。従って、使用者は、ディスプレイ３を第２の開いた位置にして、カメラ本体２に接眼してカメラ本体２の覗き孔２ｂを覗き込むことにより、ディスプレイ３に表示される画像（撮影中の画像）を虚像光学系４により生成される虚像として覗き孔２ｂを通して観察することができる。
【００５４】
また、本実施形態の画像撮影装置１では、虚像光学系収納部２ｄは、カメラ本体２の側面に突出しておらず、受光口２ｅは、虚像光学系収納部２ｄの側面（カメラ本体２の側面でもある）に設けられている。
【００５５】
虚像光学系４、覗き孔２ｂ、及び虚像光学系収納部２ｄは、上記第１の実施形態と同様に、ディスプレイ３が第１の開いた位置にあるときに、画像表示面３ａを垂直方向に延設した直方体状の領域の外側に配置されている。従って、上記第１の実施形態と同様に、ディスプレイ３を第１の開いた位置にして、ディスプレイ３を直接視して撮影中の画像を観察するとき、使用者の視界は、虚像光学系４、覗き孔２ｂ、及び虚像光学系収納部２ｄによって遮られない。
【００５６】
虚像光学系４は、上記第１の実施形態と同様に、ディスプレイ３に表示される画像の虚像をカメラ本体２による画像の撮影方向と平行な方向に観察することができるように、ディスプレイ３に表示される画像の虚像を生成するようになっている。従って、上記第１の実施形態と同様に、カメラ本体２の覗き孔２ｂを通して撮影中の画像を観察するとき、使用者の視線の方向（使用者による画像の観察方向）は、画像の撮影方向と平行になる。
【００５７】
また、虚像光学系４は、本実施形態では、ディスプレイ３が第２の開いた位置にあるときに、画像表示面３ａの正面に位置するように配置されている。すなわち、本実施形態では、虚像光学系４は、ディスプレイ３を正面から見たときの虚像を生成するようになっている。これにより、本実施形態では、虚像光学系４は、簡単な構成によって、ディスプレイ３に表示される画像の虚像を歪などを抑えて生成することができる。
【００５８】
さらに、本実施形態の画像撮影装置１では、カメラ本体２は、上記第１の実施形態の構成に加え、ディスプレイ３に表示される画像の虚像（撮影中の画像）を覗き孔２ｂを通して観察することができる状態であることを報知する報知手段であるＬＥＤ２４（図４（ａ）（ｂ）参照）を備えている。すなわち、ＬＥＤ２４は、ディスプレイ３の開閉位置を検出する不図示のセンサの出力に基いて、ディスプレイ３が第２の開いた位置にあるとき（従って、ディスプレイ３に表示される画像の虚像を覗き孔２ｂを通して観察することができる状態のとき）に点灯し、ディスプレイ３が第２の開いた位置以外の位置にあるときに消灯するようになっている。ＬＥＤ２４は、カメラ本体２の後面の覗き孔２ｂの近くに設けられている。本実施形態における他の構成については、上記第１の実施形態と同様である。
【００５９】
図６は、本実施形態の画像撮影装置１におけるディスプレイ３を第１の開いた位置及び第２の開いた位置に保持するディスプレイ位置保持構造を示す。ディスプレイ３が取付けられた蓋体５は、軸部５０を有している。蓋体５の軸部５０は、回動支持部２ｃ内（カメラ本体２内）において軸受けされており、蓋部５は、軸部５０を中心として回動するように、カメラ本体２に支持されている。そして、蓋体５の軸部５０には、第１の凹部５１と第２の凹部５２が形成されている。
【００６０】
一方、カメラ本体２内には、蓋体５の位置（ディスプレイ３の位置）を保持するための係止部材６１、ガイド部材６２、及びバネ６３が設けられている。係止部材６１は、ガイド部材６２によってスライド自在に保持されており、バネ６３によって蓋体５の軸部５０を押圧するように付勢されている。
【００６１】
蓋体５を回動させて、ディスプレイ３が第１の開いた位置になると、係止部材６１の先端が蓋体５の軸部５０の第１の凹部５１に係合し（図６（ａ）参照）、これにより、ディスプレイ３が第１の開いた位置に保持される。また、蓋体５を回動させて、ディスプレイ３が第２の開いた位置になると、係止部材６１の先端が蓋体５の軸部５０の第２の凹部５２に係合し（図６（ｂ）参照）、これにより、ディスプレイ３が第２の開いた位置に保持される。ディスプレイ３は、このようにして、第１の開いた位置と第２の開いた位置に保持されるようになっている。
【００６２】
本実施形態の画像撮影装置１によれば、ディスプレイ３を開いた位置にして、ディスプレイ３を直接視することにより、ディスプレイ３に表示される画像を実像として観察することができる。また、ディスプレイ３を第２の開いた位置にして、カメラ本体２に接眼してカメラ本体２の覗き孔２ｂを覗き込むことにより、ディスプレイ３に表示される画像を虚像光学系４により生成される虚像として覗き孔２ｂを通して観察することができる。すなわち、上記第１の実施形態と同様に、通常視力の使用者は、ディスプレイ３を直接視して、撮影中の画像を鮮明に観察することができ、老眼の使用者は、カメラ本体２の覗き孔２ｂを通して、撮影中の画像を鮮明に観察することができ、利便性が向上する。
【００６３】
しかも、上記第１の実施形態と同様に、老眼の使用者でも撮影中の画像を鮮明に観察することができる構成を、コストの上昇を抑えて、かつ、デザイン性を高めて実現することができると共に、観察する画像の質の劣化を防止することができる。
【００６４】
さらに、本実施形態の画像撮影装置１によれば、虚像光学系４は、ディスプレイ３が第２の開いた位置にあるときにディスプレイ３に表示される画像の虚像を生成することで、ディスプレイ３を正面から見たときの虚像を生成するようになっている。これにより、簡単な構成の虚像光学系４によって、ディスプレイ３に表示される画像の虚像を歪などを抑えて生成することができ、より一層、コストの上昇を抑えることができる。しかも、虚像光学系収納部２ｄがカメラ本体２の側面に突出していないため、より一層、画像撮影装置１のデザイン性を高めることができる。また、撮影中の画像を覗き孔２ｂを通して観察することができる状態であるか否かを、覗き孔２ｂを実際に覗くことなく、ＬＥＤ２４が点灯しているか否かによって知ることができ、使い勝手が向上する。
【００６５】
なお、本発明は、上記各実施形態の構成に限られず、種々の変形が可能である。例えば、上記各実施形態において、ディスプレイは、閉じた位置にあるときにも撮影中の画像を表示するようになっていて、虚像光学系は、ディスプレイが閉じた位置にあるときに、ディスプレイに表示される画像の虚像を覗き孔を通して観察することができるように、ディスプレイに表示される画像の虚像を生成するようになっていてもよい。この場合、虚像光学系は、例えば、ミラーやプリズムによってディスプレイからの光の光路を屈曲すると共に、集光機能を有するレンズによって、ディスプレイに表示される画像の虚像を生成するようにすればよい。
【図面の簡単な説明】
【００６６】
【図１】（ａ）は本発明の第１の実施形態に係る画像撮影装置の構成を示すディスプレイが第１の開いた位置にあって使用者がディスプレイを直接視しているときの斜視図、（ｂ）は同使用者が覗き孔を覗き込んでいるときの斜視図。
【図２】同画像撮影装置のディスプレイが第１の開いた位置にあるときの上側から見た一部破断した平面図。
【図３】同画像撮影装置の虚像光学系によってディスプレイに表示される画像の虚像を生成する原理を説明する図。
【図４】（ａ）は本発明の第２の実施形態に係る画像撮影装置の構成を示すディスプレイが第１の開いた位置にあって使用者がディスプレイを直接視しているときの斜視図、（ｂ）は同ディスプレイが第２の開いた位置にあって使用者が覗き孔を覗き込んでいるときの斜視図。
【図５】同画像撮影装置のディスプレイが第２の開いた位置にあるときの上側から見た一部破断した平面図。
【図６】同画像撮影装置のディスプレイ位置保持構造を示す上側から見た断面図。
【図７】従来の画像撮影装置の構成を示す斜視図。
【図８】別の従来の画像撮影装置の構成を示す斜視図。
【符号の説明】
【００６７】
１    画像撮影装置
２    カメラ本体
２ａ    撮影口
２ｂ    覗き孔
２ｃ    回動支持部
２ｄ    虚像光学系収納部
２ｅ    受光口
３    ディスプレイ
３ａ    画像表示面
４    虚像光学系
５    蓋体
２１    画像撮影用の光学系
２２    光電変換素子
２３    筺体
２４    ＬＥＤ（報知手段）
５０    軸部
５１    第１の凹部
５２    第２の凹部
６１    係止部材
６２    ガイド部材
６３    バネ
【図１】
2009199000.tif 000003
【図２】
2009199000.tif 000004
【図３】
2009199000.tif 000005
【図４】
2009199000.tif 000006
【図５】
2009199000.tif 000007
【図６】
2009199000.tif 000008
【図７】
2009199000.tif 000009
【図８】
2009199000.tif 000010